(57)【要約】【課題】頭皮の血行を阻害せず、また頭部がムレるような不具合を防止して、髪に優しい枕を提供する。【解決手段】ポリウレタンフォーム製の表材２と中芯３と裏材４が積層される枕１において、表材２として、親水性を有するフォームから構成するとともに、表面に略Ｕ字型の溝２ｍと、逆Ｕ字型の凸部２ｔを枕１の横方向に互い違いに複数列設ける。そして凸部２ｔの高さａが、凸部幅ｂ以上であるようにし、また、中芯３として、高通気性で且つ低反発弾性を有するフォームから構成する。【選択図】　　　図２
2004049809.tif 000002
【特許請求の範囲】
【請求項１】
合成樹脂フォーム製の表材と裏材との間に、少なくともクッション性のある中芯が積層される枕であって、前記表材の表面には、略Ｕ字型の溝と、これとほぼ対称的な逆Ｕ字型の凸部とが、互い違いに枕を横に横断する形態で複数列設けられ、前記溝の深さや凸部の高さは、深さや高さ方向の中間部における溝幅や凸部幅以上とされることを特徴とする枕。
【請求項２】
前記表材の合成樹脂フォームは、親水性を有することを特徴とする請求項１に記載の枕。
【請求項３】
前記中芯は、高通気性で且つ低反発弾性の合成樹脂フォームであることを特徴とする請求項１又は請求項２に記載の枕。
【発明の詳細な説明】
【０００１】
【発明の属する技術分野】
本発明は頭皮の血行阻害を抑制し、また頭がムレにくい枕に関する。
【０００２】
【従来の技術】
枕は、就寝の間頭を支えるものであり、快適性を持たせ、また健康を促進するため、従来から例えば材質に特徴を持たせたものや、形状に特徴を持たせたもの等が数多く提案されている。
【０００３】
【発明が解決しようとする課題】
ところで、就寝時間は一日の約１／３程度の時間を占めるといわれており、枕の要件としては、快適性や健康面への配慮のみならず、頭皮の血行阻害を抑制し、また頭のムレを防止して、髪を優しく保護することも大切な要件である。
【０００４】
そこで本発明は、頭皮の血行阻害を抑制し、また頭部がムレるような不具合を防止して、髪に優しい枕を提供することを目的とする。
【０００５】
【課題を解決するための手段】
上記目的を達成するため本発明は、合成樹脂フォーム製の表材と裏材との間に、少なくともクッション性のある中芯が積層される枕において、前記表材の表面に、略Ｕ字型の溝と、これとほぼ対称的な逆Ｕ字型の凸部とを、互い違いに枕を横に横断する形態で複数列設けるようにし、前記溝の深さや凸部の高さは、深さや高さ方向の中間部における溝幅や凸部幅以上になるようにした。
ここで、枕における縦方向とは、枕を使って人が仰向けに寝た状態において、人の背骨と平行な方向であり、横方向とは、人が仰向けに寝た状態で肩幅方向のことである。
【０００６】
このように、略Ｕ字型の溝と逆Ｕ字型の凸部とを互い違いに設け、溝の深さを、深さ方向の中間部における溝幅以上になるようにするとともに、凸部の高さを、高さ方向の中間部における凸部幅以上になるようにすれば、溝によって通気性が確保されると同時に、表面積が増大して汗等が蒸発しやすくなり、頭部がムレにくくなる。
この際、溝や凸部の方向を枕の横方向にすることにより、溝の両側が開放されることになって通気性が良好となり、また、寝返りをうったときなど、枕に対して頭を横に回転させたり、横に動かしたりして、頭を縦方向に動かすより、横方向に動かす頻度が高いものと思われるが、このような場合でも溝が潰れにくくなる。これに対して、溝の方向を縦方向にすれば、溝の一端側が人体によって塞がれた状態になり、また、頭を横方向にずらせると、溝が潰れやすくなって、いずれも通気性が悪くなる。
尚、溝の深さや凸部の高さは、溝幅や凸部幅以上にするが、この際、溝幅や凸部幅の２倍程度、或いはそれ以上にすれば表面積が増大してムレ防止に一層好適である。
【０００７】
また本発明では、前記表材の合成樹脂フォームに、親水性を持たせるようにした。
ここで、本明細書における親水性を有する合成樹脂フォームとは、５０×２００×２００ｍｍの合成樹脂フォーム上に滴下した水１滴を吸収する時間が２００秒以内、かつ、３０×５０×３００ｍｍの合成樹脂フォームの端を水につけた状態で、合成樹脂フォームが水を吸い上げる高さが１５ｍｍ以上であるものと定義する。
このように表材のフォームに親水性を持たせることにより、汗を吸収できるようになり、また吸収された汗は、溝と凸部によって増大せしめられた表面積から効果的に発散させることができる。
尚、表材の合成樹脂フォームには、低反発弾性特性や通気性を持たせることがより好ましく、またリン酸エステル等を配合した抗菌フォームとすると更に好ましい。
【０００８】
本発明の枕における中芯としては、綿、ウレタンフォーム、発泡ゴム、ポリエチレンフォーム等を使用することができるが、へたりにくさや、軽さ、通気性等に優れるウレタンフォームが好ましい。
また、本発明の枕における裏材としては、木、アルミニウム、ウレタンフォーム、発泡ゴム、ポリエチレンフォーム、ポリプロピレンフォーム等種々の材料により構成させることが可能であるが、軽さ、通気性、クッション性等に優れるウレタンフォームが好ましい。
【０００９】
また本発明では、前記中芯を、高通気性で且つ低反発弾性の合成樹脂フォームとした。
ここで、本明細書における高通気性とは、ＪＩＳ　Ｋ　６４００（１９９７）のＢ法に準拠する方法で測定した通気度が０．５ｄｍ３／ｓ以上であるものと定義し、また低反発弾性とは、ＪＩＳ　Ｋ　６４００（１９９７）のＡ法に準拠する方法で測定した反発弾性率が２０％未満を指すものと定義する。
このように、中芯を高通気性で低反発弾性の合成樹脂フォームにすれば、頭圧を減少させることができて頭皮の血行を阻害せず、また一層ムレにくくすることが出来る。尚、密度は４０〜７５ｋｇ／ｍ３、硬度が７０Ｎ以下のものが好ましい。
因みに、このような合成樹脂フォームとしては、本出願人の提案に係る特願２００２−１８５４８３等が好適である。
【００１０】
【発明の実施の形態】
本発明の実施の形態について添付した図面に基づき説明する。
ここで図１は本発明に係る枕がカバーで覆われる状態の説明図、図２は表カバーを取り外した状態の斜視図、図３は同分解斜視図、図４は表材の溝と凸部の関係を示す拡大断面図、図５は溝が潰れる場合の説明図である。
【００１１】
本発明に係る枕は、頭皮の血行を阻害せず、また頭部がムレるような不具合を防止することができるようにされており、髪の保護作用を高めて髪に優しい枕として構成されている。
【００１２】
すなわち、図１乃至図３に示すように、外側が布製等のカバーＣで覆われる本枕１は、図１のＸ−Ｘ方向が人体方向とされて、長手方向が横方向になるようにされ、ポリウレタンフォーム製の表材２と、中芯３と、裏材４が積層されている。
そして、前記表材２は、長手の横方向に対して中芯３や裏材４の長さより長めにされるとともに、表材２の表面には、長手の横方向を横断する形態で複数列の溝２ｍと凸部２ｔが互い違いに形成されている。
【００１３】
そしてこの溝２ｍと凸部２ｔの形状は、図４にも示すようにほぼ対称形の略Ｕ字型と逆Ｕ字型にされ、また、凸部２ｔの高さａ（溝の深さ）は、高さ方向の中間部ｐにおける凸部幅ｂ（溝幅）以上としている。
尚、実施例では、溝２ｍの深さや凸部２ｔの高さａを、１３〜１５ｍｍとし、溝幅や凸部幅ｂを５ｍｍ程度としている。
【００１４】
前記中芯３は、上面中央部に十字型の窪みｄを有する形態にされ、この中芯３の一方側の長辺寄りの窪みｄ上部に跨って棒状形状保持体５の下面全域が貼り付けられるとともに、横方向の左右の窪みｄ上部に跨って一対の三日月形状保持体６の下面全域が貼り付けられており、また横方向の左右両端面には、一対の板状形状保持体７が貼着されている。そして、これら中芯３、棒状形状保持体５、三日月形状保持体６、板状形状保持体７は、いずれもポリウレタンフォームから構成されている。
【００１５】
前記裏材４は、長手方向の長さが前記中芯３の長さより僅かに長めにされ、実施例では二枚のポリウレタンフォームを積層することにより構成されている。
【００１６】
そして、これら表材２と中芯３は、各形状保持体５、６、７を挟んで接着剤等でほぼ全面が貼着されて上下に積層され、この際、表材２の左右両端部が中芯３の端部を覆い込むように下方に折り曲げられて、中芯３の端部に貼着されている。そして、積層状態では、図２に示すように、横の長手方向中央部分と、三日月形状保持体６より外側で板状形状保持体７より内側の左右二ヶ所の部分で上面が窪むような形態にされている。
また、枕１の縦方向については、棒状形状保持体５のある側が、人体の首側になるような向きで使用すれば、頭が快適に支持されるようになっている。
裏材４は中芯３や表材２と接着されておらず、枕の高さを変えるために、適宜枕カバーから出し入れできるようになっている。また裏材４は、枕１の形状を保持するため、表材２や中芯３よりも硬いウレタンフォームを使用している。
【００１７】
ところで、前記表材２のポリウレタンフォームは親水性を有するものとしているが、本表材２の場合は、５０×２００×２００ｍｍのポリウレタンフォーム上に滴下した水１滴を吸収する時間が１４０秒である。
また、３０×５０×３００ｍｍのに試料を使用して水を吸い上げる距離を測定した揚水性は２０〜３０ｍｍ、５０×２００×２００ｍｍの試料を使用して水を含んだ時の（膨潤寸法／元寸法）×１００を測定した線膨張率が３１％、体積膨張率は２２０％であった。
また、表材２の密度は３８ｋｇ／ｍ３、硬度は９０Ｎ、反発弾性率は２６％であった。
【００１８】
因みに、通常のポリウレタンフォームの吸水性や通水性はゼロであり、水滴を吸収したり、フォーム内部を水が通過したりする能力はない。
【００１９】
また、中芯３のポリウレタンフォームについては、高通気性で且つ低反発弾性特性を有するものとしており、本中芯３の通気度が１．６ｄｍ３／ｓ、反発弾性率が４％、密度が５２．６ｋｇ／ｍ３、硬度が３８Ｎであった。
【００２０】
次に、以上のような枕１（実施例）と、他の枕（比較例）の頭圧を測定した結果について説明する。
ここで、比較例としては、そば殻ドーナツ枕（円形のそば殻入り枕の中央に丸くキロット加工が施されて、周囲が盛り上がり中央が窪んだ枕）と、フェザードーナツ枕（そば殻の代わりに羽毛が入っている枕）と、エアセルドーナツ枕（そば殻の代わりに樹脂の発泡ビーズが入っている枕）と、シンセドーナツ枕（そば殻の代わりに樹脂のパイプを短くカットしたものが入っている枕）を使用した。
【００２１】
また、測定装置としては、カナダ製ＦＳＡ体圧分布測定装置を使用し、被験者としては、男性３名（Ａ：１６５ｃｍ・５８ｋｇ、Ｂ：１６４ｃｍ・６６ｋｇ、Ｃ：１６４ｃｍ・７５ｋｇ）に協力してもらった。また測定条件としては、羊毛混敷布団上で仰臥姿勢をとり、枕に頭を載せて３分後に記録した。
この結果は、表１の通りである。
【００２２】
【表１】
2004049809.tif 000003
【００２３】
この結果、３被験者とも本枕１（実施例）では頭圧が低い値であり、頭皮の血行阻害を抑制している点において有効であることが確認された。
【００２４】
また、表材２が親水性を有しているため、汗等を吸収する能力が高く、また溝２ｍと凸部２ｔによって表面積が大きいため、蒸発が促進されてムレにくい。
また、溝２ｍの方向が横方向であるため、寝返り等によって頭を横に回転させた場合等でも溝２ｍが潰れにくいが、溝２ｍを縦方向にした場合、頭を横に回転させると、図５に示すように、溝２ｍが潰れやすくなって通気性が阻害されやすい。
このため、本枕は通気性の点で優れており、髪の保護作用が高いということがいえる。
尚、図１に示すようなカバーＣがかけられた枕１は、更にその上に不図示の枕カバーが装着されて使用されることが多いと思われるが、そのような枕カバーに抗菌処理を施すようにすれば、頭を一層清潔にすることができ、髪の保護作用を一層高めることが出来る。
【００２５】
尚、本発明は以上のような実施形態に限定されるものではない。本発明の特許請求の範囲に記載した事項と実質的に同一の構成を有し、同一の作用効果を奏するものは本発明の技術的範囲に属する。
例えば中芯３の形状や、枕１の外形形状等は任意である。また、裏材４の構成等も任意である。
【００２６】
【発明の効果】
以上のように本発明に係る枕は、表材と裏材との間にクッション性のある中芯が積層される枕において、表材の表面に、略Ｕ字型の溝と逆Ｕ字型の凸部とを、互い違いに枕を横に横断する形態で複数列設けるようにし、溝の深さや凸部の高さを、深さや高さ方向の中間部における溝幅や凸部幅以上になるようにしたため、溝によって通気性が確保されると同時に、表面積が増大して汗等の発散が促進され、頭部をムレにくくすることが出来る。
また、表材の合成樹脂フォームに親水性を持たせるようにすれば、頭等から生じた汗を吸収できるようになり、効果的に発散させることができて一層ムレにくくすることが出来る。
この際、中芯を高通気性で且つ低反発弾性の合成樹脂フォームとすれば、頭圧を減少させることができて頭皮の血行を阻害させるような不具合を防止出来る。
【図面の簡単な説明】
【図１】本発明に係る枕がカバーで覆われる状態の説明図
【図２】表カバーを取り外した状態の斜視図
【図３】同分解斜視図
【図４】表材の溝と凸部の関係を示す拡大断面図
【図５】溝が潰れた場合の説明図
【符号の説明】
１…枕、２…表材、２ｍ…溝、２ｔ…凸部、３…中芯、ａ…凸部の高さ、ｂ…
凸部幅。
【図１】
2004049809.tif 000004
【図２】
2004049809.tif 000005
【図３】
2004049809.tif 000006
【図４】
2004049809.tif 000007
【図５】
2004049809.tif 000008